(57)【要約】【課題】ＤＣバランスをとりつつ、残像が生じることを抑制する部分駆動方式での電気泳動表示装置の駆動方法等を提供する。【解決手段】（ｅ）第１の画像を第１色で、第１の画像の背景を第２色で表示部に表示させた場合に、表示部の所定領域に第１色を表示する画素と第２色を表示する画素との境界が所定数以上含まれるか否かを判定し、（Ｓ１０）、前記（ｅ）において境界が所定数以上含まれると判定した場合には（Ｓ１０Ｙ）、書き換え対象でない画素の画素電極を、ハイインピーダンス状態とすること、によって、前記（ｅ）において境界が所定数以上含まれないと判定した場合には（Ｓ１０Ｎ）、書き換え対象でない画素の画素電極に、共通電極への駆動パルス信号に基づく電圧を印加すること、によって、第１の画像および第２の画像の表示、消去を実行する。【選択図】図１２
2014191152.tif 000002
【特許請求の範囲】
【請求項１】
電気泳動表示装置の駆動方法であって、
前記電気泳動表示装置は、
共通電極と、
前記共通電極と向かい合う複数の画素電極と、
前記共通電極と前記複数の画素電極との間に配置された電気泳動表示層と、
を有する表示部を含み、
前記表示部は、前記共通電極には第１の電位が印加された場合に第１色を表示し、前記共通電極に前記第１の電位とは異なる第２の電位が印加された場合には前記第１色とは異なる第２色を表示し、
前記駆動方法は、
（ａ）第１の画像を前記第１色で前記表示部に表示させることと、
（ｂ）前記第１の画像の背景を前記第１色で前記表示部に表示させることと、
（ｃ）前記（ｂ）の後に、第２の画像の背景を前記第２色で前記表示部に表示させることと、
（ｄ）前記第２の画像を前記第２色で前記表示部に表示させることと、
（ｅ）前記第１の画像を前記第１色で、前記第１の画像の背景を前記第２色で前記表示部に表示させた場合に、前記表示部の所定領域に前記第１色を表示する画素と前記第２色を表示する画素との境界が所定数以上含まれるか否かを判定することと、
（ｆ）前記（ｅ）において前記境界が前記所定数以上含まれると判定した場合に、
（ｆ１）前記共通電極に、第１の電位と第２の電位とを繰り返す駆動パルス信号に基づく電圧を印加することと、
（ｆ２）書き換え対象の画素の画素電極に、前記第１の電位および前記第２の電位のうち、書き換えを行う前の色を表示する電位とは異なる電位を印加することと、
（ｆ３）書き換え対象でない画素の画素電極を、ハイインピーダンス状態とすること、
によって前記（ａ）、（ｂ）、（ｃ）および（ｄ）を実行することと、
（ｇ）前記（ｅ）において前記境界が前記所定数以上含まれないと判定した場合に、
（ｇ１）前記共通電極に前記駆動パルス信号に基づく電圧を印加することと、
（ｇ２）前記書き換え対象の画素の画素電極に、前記駆動パルス信号の反転信号に基づく電圧を印加することと、
（ｇ３）前記書き換え対象でない画素の画素電極に、前記駆動パルス信号に基づく電圧を印加すること、
によって前記（ａ）、（ｂ）、（ｃ）および（ｄ）を実行することと、
を含む、電気泳動表示装置の駆動方法。
【請求項２】
請求項１に記載の電気泳動表示装置の駆動方法において、さらに、
（ｈ）前記第２の画像を前記第１色で、前記第２の画像の背景を前記第２色で前記表示部に表示させた場合に、前記所定領域に前記境界が前記所定数以上含まれるか否かを判定することと、
（ｉ）前記（ｅ）における判定の結果と、前記（ｈ）における判定の結果とが異なる場合に、前記表示部の全画素を前記第１色または前記第２色で表示させる単一色画像に前記第２の画像を置き換えて、前記（ｃ）および前記（ｄ）を実行することと、
を含む、電気泳動表示装置の駆動方法。
【請求項３】
請求項２に記載の電気泳動表示装置の駆動方法において、さらに、
（ｊ）前記（ｉ）の後で、前記第２の画像を、前記（ａ）における前記第１の画像として用いて、前記（ｅ）並びに前記（ｆ）または前記（ｇ）を実行すること、
を含む、電気泳動表示装置の駆動方法。
【請求項４】
請求項１から３のいずれか一項に記載の電気泳動表示装置の駆動方法において、
前記（ｆ３）は、
前記ハイインピーダンス状態の開始時点および終了時点を含まない期間に、前記書き換え対象でない画素の画素電極に前記第１の電位または前記第２の電位を印加するリフレッシュ動作を実行する、電気泳動表示装置の駆動方法。
【請求項５】
請求項４に記載の電気泳動表示装置の駆動方法において、
前記（ｆ３）は、
１回の前記リフレッシュ動作を実行する、電気泳動表示装置の駆動方法。
【発明の詳細な説明】
【技術分野】
【０００１】
本発明は、電気泳動表示装置の駆動方法等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラスト比の高さ、柔軟性、反射型ディスプレイであるゆえの低消費電力などの優れた利点がある。
【０００４】
一方で、特許文献１に記載されているように、電気泳動表示装置において電極間に印加される電界の時間平均がほぼゼロでなければ、装置の動作寿命が短くなる可能性がある。つまり、電気泳動表示装置の長期信頼性を確保するためには、ＤＣバランスがとられること、すなわち印加される電界の時間平均がほぼゼロになることが必要になる。
【先行技術文献】
【特許文献】
【０００５】
【特許文献１】特表２００５−５３０２０１号公報
【発明の概要】
【発明が解決しようとする課題】
【０００６】
ここで、電気泳動表示装置は、例えば１フレームの画像の画素に対応する画素電極と共通電極とを含み、これらの電極のそれぞれに電圧を印加して、発生した電界によって電気泳動粒子を移動させることで表示部に表示される画像を更新する。電気泳動表示装置は、１フレームの画像の画素の全て、すなわち表示部の全画素の表示を更新する全面駆動方式により画像を表示することもできるし、書き換え対象である一部の画素を更新することも可能な部分駆動方式により画像を表示することもできる。
【０００７】
書き換えによって１フレームの画像の一部だけが変化する場合であっても、全面駆動方式では書き換えに要する時間を短縮することは難しい。例えば、電子時計では１フレームの画像の一部である時刻表示部分が主に変化する。この場合、部分駆動方式であれば、全面駆動方式よりも書き換えに要する時間を短縮できる。そのため、例えば電子時計に用いられる電気泳動表示装置は、部分駆動方式で画像を表示することが多い。しかし、部分駆動方式によって表示部の特定の領域を繰り返し書き換えると、表示部全体のＤＣバランスをとることができない。そのため時間の経過に伴って当該領域のコントラスト比が低下することがある。
【０００８】
ここで、部分駆動方式を用いる電気泳動表示装置が、例えば面積階調で写真、模様、イラスト等（以下、グラフィックとする）を表示することもある。グラフィックは、第１色（例えば黒色）と第２色（例えば白色）との境界（すなわち隣り合う画素で表示色が異なる部分）が、面積階調を用いない単一色画像、文字、数字、記号等（以下、非グラフィックとする）に比べて多い。
【０００９】
このとき、境界部分で、隣り合う画素の一方が他方の画素に生じる電界を弱めることが知られている。そのため、グラフィックを表示した後に、例えば表示部の全画素を単一色で表示すると、グラフィックを表示していた部分の反射率が他の部分と異なり、残像として視認されて見栄えが低下するとの問題があった。
【００１０】
本発明はこのような問題点に鑑みてなされたものである。本発明のいくつかの態様によれば、ＤＣバランスをとりつつ、残像が生じることを抑制する部分駆動方式での電気泳動表示装置の駆動方法等を提供することができる。
【課題を解決するための手段】
【００１１】
［適用例１］
本適用例に係る電気泳動表示装置の駆動方法は、前記電気泳動表示装置が、共通電極と、前記共通電極と向かい合う複数の画素電極と、前記共通電極と前記複数の画素電極との間に配置された電気泳動表示層と、を有する表示部を含み、前記表示部は、前記共通電極には第１の電位が印加された場合に第１色を表示し、前記共通電極に前記第１の電位とは異なる第２の電位が印加された場合には前記第１色とは異なる第２色を表示し、前記駆動方法は、（ａ）第１の画像を前記第１色で前記表示部に表示させることと、（ｂ）前記第１の画像の背景を前記第１色で前記表示部に表示させることと、（ｃ）前記（ｂ）の後に、第２の画像の背景を前記第２色で前記表示部に表示させることと、（ｄ）前記第２の画像を前記第２色で前記表示部に表示させることと、（ｅ）前記第１の画像を前記第１色で、前記第１の画像の背景を前記第２色で前記表示部に表示させた場合に、前記表示部の所定領域に前記第１色を表示する画素と前記第２色を表示する画素との境界が所定数以上含まれるか否かを判定することと、（ｆ）前記（ｅ）において前記境界が前記所定数以上含まれると判定した場合に、（ｆ１）前記共通電極に、第１の電位と第２の電位とを繰り返す駆動パルス信号に基づく電圧を印加することと、（ｆ２）書き換え対象の画素の画素電極に、前記第１の電位および前記第２の電位のうち、書き換えを行う前の色を表示する電位とは異なる電位を印加することと、（ｆ３）書き換え対象でない画素の画素電極を、ハイインピーダンス状態とすること、によって前記（ａ）、（ｂ）、（ｃ）および（ｄ）を実行することと、（ｇ）前記（ｅ）において前記境界が前記所定数以上含まれないと判定した場合に、（ｇ１）前記共通電極に前記駆動パルス信号に基づく電圧を印加することと、（ｇ２）前記書き換え対象の画素の画素電極に、前記駆動パルス信号の反転信号に基づく電圧を印加することと、（ｇ３）前記書き換え対象でない画素の画素電極に、前記駆動パルス信号に基づく電圧を印加すること、によって前記（ａ）、（ｂ）、（ｃ）および（ｄ）を実行することと、を含む。
【００１２】
本適用例に係る電気泳動表示装置の駆動方法は、第１の画像を第１色で、第１の画像の背景を第２色で表示部に表示させた場合に、第１色と第２色との境界が所定数以上含まれるか否かを判定する（工程（ｅ））。そして、境界が所定数以上の場合には（工程（ｆ））、書き換え対象でない画素の画素電極をハイインピーダンス状態とする方式によって（工程（ｆ３））、第１の画像および第２の画像の表示、消去を行う。
【００１３】
境界が所定数以上となるのは、１フレームの画像の中に、例えばグラフィック、すなわち面積階調で表示された絵、写真等を含んでいる場合である。本適用例に係る電気泳動表示装置の駆動方法は、第１の画像の少なくとも一部が例えば残像が生じやすいグラフィックである場合に、ハイインピーダンス状態を用いる第２の方式（工程（ｆ１）〜（ｆ３））を用いる。書き換え対象でない画素の画素電極をハイインピーダンス状態とすることで、当該画素に隣り合う画素が書き換え対象であった場合にも、書き換え対象の画素と書き換え対象でない画素との間に電界が生じることを抑制できる。そのため、残像が生じることを抑制することができる。
【００１４】
このとき、本適用例に係る電気泳動表示装置の駆動方法は、書き換え対象である一部を描画することが可能である部分駆動方式によって、４つの工程を順に実行する。４つの工程は、第１の画像を第１色で表示部に表示させること（工程（ａ））と、第１の画像の背景を第１色で表示部に表示させること（工程（ｂ））と、第２の画像の背景を第２色で表示部に表示させること（工程（ｃ））と、第２の画像を第２色で表示部に表示させること（工程（ｄ））である。第１の方式（工程（ｇ１）〜（ｇ３））または第２の方式で、４つの工程を実行するので、本適用例に係る電気泳動表示装置の駆動方法は、ＤＣバランスをとることができる。
【００１５】
ここで、第１色とは例えば黒色であり、第２色とは例えば白色である。第１色が白色、第２色が黒色であってもよい。第１の画像、第２の画像は表示部に表示される画像であって、文字、数字、文章、図形、記号、模様等のいずれかまたはこれらの組み合わせであってもよい。すなわち、第１の画像、第２の画像は、グラフィックの場合もあるし、非グラフィックの場合もあるし、両方を含む場合もある。以下では、両方を含む場合は特に断らない限りグラフィックに区分されるとする。
【００１６】
また、第１の画像、第２の画像は、工程（ａ）、工程（ｃ）で表示される度に異なる文字、数字、文章、図形、記号、模様等に変化してもよい。第１の画像の背景、第２の画像の背景は、表示部におけるそれぞれ第１の画像以外の部分、第２の画像以外の部分をいう。
【００１７】
例えば、黒色で文字、数字、文章、図形、記号、模様等のいずれかまたはこれらの組み合わせを表示したい場合、第１の画像、第２の画像は表示部全体における黒色の部分であり、第１の画像の背景、第２の画像の背景は表示部全体における白色の部分である。逆に、白色で文字、数字、文章、図形、記号、模様等のいずれかまたはこれらの組み合わせを表示したい場合、第１の画像、第２の画像は表示部全体における白色の部分であり、第１の画像の背景、第２の画像の背景は表示部全体における黒色の部分である。
【００１８】
なお、表示部の所定領域とは、表示部全体であってもよいし、表示部に１つまたは複数設けられた小さな領域（例えば１０画素×１０画素の領域）であってもよい。境界についての所定数とは、例えば１００、５００といった固定値であってもよいし、表示部の所定領域の全画素数に対する比率（例えば５０％以上）によって決定してもよい。また、書き換え対象の画素とは、例えば黒色を表示する工程においては、白色を表示していて黒色へと変化させる画素のことである。そして、書き換え対象でない画素とは、書き換え対象の画素以外の画素のことである。
【００１９】
［適用例２］
上記適用例に係る電気泳動表示装置の駆動方法において、さらに、（ｈ）前記第２の画像を前記第１色で、前記第２の画像の背景を前記第２色で前記表示部に表示させた場合に、前記所定領域に前記境界が前記所定数以上含まれるか否かを判定することと、（ｉ）前記（ｅ）における判定の結果と、前記（ｈ）における判定の結果とが異なる場合に、前記表示部の全画素を前記第１色または前記第２色で表示させる単一色画像に前記第２の画像を置き換えて、前記（ｃ）および前記（ｄ）を実行することと、を含んでもよい。
【００２０】
［適用例３］
上記適用例に係る電気泳動表示装置の駆動方法において、さらに、（ｊ）前記（ｉ）の後で、前記第２の画像を、前記（ａ）における前記第１の画像として用いて、前記（ｅ）並びに前記（ｆ）または前記（ｇ）を実行すること、を含んでもよい。
【００２１】
本適用例に係る電気泳動表示装置の駆動方法は、第２の画像を第１色で、第２の画像の背景を第２色で表示部に表示させた場合に、第１色と第２色との境界が所定数以上含まれるか否かを判定する（工程（ｈ））。そして、当該判定の結果が第１の画像と第２の画像で異なる場合には、第２の画像を単一色画像に置き換える（工程（ｉ））。
【００２２】
本適用例に係る電気泳動表示装置の駆動方法は、第１の画像を表示すると境界が所定数以上含まれると判定した場合に、残像が生じることを抑制するために第２の方式（工程（ｆ１）〜（ｆ３））で、工程（ａ）〜（ｄ）を実行する。また、境界が所定数未満であると判定した場合に、第１の方式（工程（ｇ１）〜（ｇ３））で、工程（ａ）〜（ｄ）を実行する。
【００２３】
しかし、工程（ａ）〜（ｄ）で扱う画像には、第１の画像と第２の画像があり、例えば第１の画像がグラフィックで第２の画像が非グラフィックの場合や逆の組み合わせの場合に、選択された駆動の方式（第１の方式、または第２の方式）は第２の画像を表示部に表示するのに最適であるとは限らない。
【００２４】
そこで、第２の画像を単一色画像に置き換えて、工程（ａ）〜（ｄ）を実行する。そして、第２の画像は例えば、次回の工程（ａ）〜（ｄ）の第１の画像となるように設定されて、次回の工程（ａ）〜（ｄ）では第２の画像に適した駆動の方式が選択されてもよい。
【００２５】
本適用例に係る電気泳動表示装置の駆動方法は、第１の画像と第２の画像で境界の数と所定数との比較結果が異なる場合であっても、第２の画像を単一色画像に置き換えることで、第１の画像と第２の画像のそれぞれに最適な駆動の方式（第１の方式、または第２の方式）で工程（ａ）〜（ｄ）を実行することを可能にする。
【００２６】
［適用例４］
上記適用例に係る電気泳動表示装置の駆動方法において、前記（ｆ３）は、前記ハイインピーダンス状態の開始時点および終了時点を含まない期間に、前記書き換え対象でない画素の画素電極に前記第１の電位または前記第２の電位を印加するリフレッシュ動作を実行してもよい。
【００２７】
［適用例５］
上記適用例に係る電気泳動表示装置の駆動方法において、前記（ｆ３）は、１回の前記リフレッシュ動作を実行してもよい。
【００２８】
本適用例に係る電気泳動表示装置の駆動方法は、第２の方式で工程（ａ）〜（ｄ）を実行する場合に、書き換え対象でない画素の画素電極を、ハイインピーダンス状態とする。このとき、書き換え対象でない画素の画素電極は、隣り合う画素電極が書き換え対象である場合に、当該画素電極の影響により、僅かながら維持すべき色（例えば黒色）とは逆の反転した色（例えば白色）へと変化する場合がある。
【００２９】
そのため、本適用例に係る電気泳動表示装置の駆動方法は、画素電極に第１の電位または前記第２の電位を印加するリフレッシュ動作を実行することで、反転した色に近づくことを防止する。リフレッシュ動作は、ハイインピーダンス状態の開始時点および終了時点を含まない期間に実行される。
【００３０】
このとき、短い時間幅のリフレッシュ動作が複数回実行されてもよい。しかし、リフレッシュ動作の時間幅を長くすることで、ハイインピーダンス状態をできるだけ短くすることができる。このとき、反転した色へと変化しにくくなる効果が期待される。そこで、本適用例に係る電気泳動表示装置の駆動方法は、ハイインピーダンス状態の間に１回だけリフレッシュ動作を行ってもよい。
【図面の簡単な説明】
【００３１】
【図１】本実施形態における電気泳動表示装置のブロック図。
【図２】本実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）〜図４（Ｂ）は部分駆動方式（第１の方式）の波形図と反射率を例示する図。
【図５】図５（Ａ）〜図５（Ｄ）は境界が所定数未満のときの第１の方式での表示例を示す図。
【図６】図６（Ａ）〜図６（Ｃ）は境界が所定数以上のときに第１の方式を用いた場合の残像の例を示す図。
【図７】図７（Ａ）はグラフィック領域Ｚと画素４０Ａ、４０Ｂ、４０Ｃとの関係を示す図。図７（Ｂ）〜図７（Ｄ）は電界の状態を説明する図。
【図８】図８（Ａ）〜図８（Ｃ）は部分駆動方式（第２の方式）の波形図と反射率を例示する図。
【図９】図９（Ａ）〜図９（Ｄ）は境界が所定数以上のときの第２の方式での表示例を示す図。
【図１０】図１０（Ａ）〜図１０（Ｂ）は第１の方式、第２の方式での波形図の例。
【図１１】図１１（Ａ）〜図１１（Ｂ）は駆動の方式の選択方法を説明する図。
【図１２】本実施形態のフローチャート。
【図１３】応用例の電子機器のブロック図。
【図１４】図１４（Ａ）は電子機器の一例である電子時計の図、図１４（Ｂ）は電子機器の一例である電子ペーパーの図。
【発明を実施するための形態】
【００３２】
１．電気泳動表示装置
本発明の実施形態（以下、本実施形態）について図１〜図１２を参照して説明する。本実施形態の電気泳動表示装置は、文字、数字、写真、模様、イラスト等の様々な画像を表示可能であるとする。
【００３３】
１．１．電気泳動表示装置の構成
図１は、本実施形態のアクティブマトリックス方式の電気泳動表示装置１０の構成を示す図である。
【００３４】
電気泳動表示装置１０は、表示制御回路６０、表示部３を含む。表示制御回路６０は、表示部３を制御する。表示制御回路６０は、走査線駆動回路６１、データ線駆動回路６２、コントローラー６３、共通電源変調回路６４、記憶部１６０を含む。
【００３５】
走査線駆動回路６１、データ線駆動回路６２、共通電源変調回路６４、記憶部１６０は、それぞれコントローラー６３と接続されている。コントローラー６３は、例えば時刻信号等の入力信号（図外）に基づいて、これらを総合的に制御する。
【００３６】
記憶部１６０は、例えばＶＲＡＭ(Video Random Access Memory)と、例えばフラッシュメモリー等の不揮発性メモリーを含んでいてもよい（図外）。ＶＲＡＭは表示部３に表示させる画像のデータを記憶する。ＶＲＡＭは複数のバンクに分かれており、それぞれが個別のＶＲＡＭとして機能してもよい。また、不揮発性メモリーはＶＲＡＭに記憶されたデータを構成する要素のデータ（例えばパーツデータや背景データ）を記憶する。なお、記憶部１６０は、その他に例えばＳＲＡＭ（Static Random Access Memory）、ＤＲＡＭ(Dynamic Random Access Memory)等を含んでいてもよい。
【００３７】
表示部３には、走査線駆動回路６１から延びる複数の走査線６６と、データ線駆動回路６２から延びる複数のデータ線６８とが形成されており、これらの交差位置に対応して複数の画素４０が設けられている。
【００３８】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ（Thin Film Transistor）４８（図２参照）のオンタイミングを規定する選択信号を供給する。
【００３９】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画素データ「１」を規定する場合には、ハイレベルの画像信号を画素４０に供給するものとする。
【００４０】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続および切断（ハイインピーダンス化、Ｈｉ−Ｚ）を行う。
【００４１】
１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００４２】
画素４０には、駆動用ＴＦＴ４８と、ラッチ回路７０と、スイッチ回路８０が設けられている。画素４０は、ラッチ回路７０により画像信号を電位として保持するＳＲＡＭ方式の構成をとる。
【００４３】
駆動用ＴＦＴ４８は、Ｎ−ＭＯＳ(Negative Channel Metal Oxide Semiconductor)トランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。転送インバーター７０ｔ、帰還インバーター７０ｆには、低電位電源線４９（Ｖｓｓ）と高電位電源線５０（Ｖｄｄ）から電源電圧が供給される。
【００４４】
スイッチ回路８０は、トランスミッションゲートＴＧ１、ＴＧ２からなり、ラッチ回路７０に記憶された画素データの信号レベルに応じて、画素電極３５（図３（Ｂ）、図３（Ｃ）参照）に信号を出力する。なお、Ｖａは、１つの画素４０の画素電極３５へ供給される電位（信号）を意味する。
【００４５】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、表示制御回路６０はそれぞれの画素４０の画素電極３５に対して供給する電位（信号）を制御することが可能である。
【００４６】
１．３．表示方式
本実施形態の電気泳動表示装置１０は、二粒子系マイクロカプセル型の電気泳動方式であるとする。分散液は透明、電気泳動粒子は白色および黒色のものであるとすると、白色および黒色の２色を基本色として少なくとも２色を表示できる。ここでは、電気泳動表示装置１０は、基本色として黒色と白色とを表示可能であるとして説明する。そして、黒色を表示している画素を白色で表示すること、または白色を表示している画素を黒色で表示することを反転と表現する。また、本明細書においてある物が透明であるとは、当該物を通して視認した場合に、電気泳動粒子の色が判別できることを意味する。
【００４７】
図３（Ａ）は、本実施形態の電気泳動素子１３２の構成を示す図である。電気泳動素子１３２は素子基板１３０と対向基板１３１（図３（Ｂ）、図３（Ｃ）参照）との間に挟まれている。電気泳動素子１３２は、複数のマイクロカプセル１２０を配列して構成される。マイクロカプセル１２０には、例えば分散液と、複数の白色の電気泳動粒子（白色粒子１２７）と、複数の黒色の電気泳動粒子（黒色粒子１２６）とが封入されている。本実施形態では、白色粒子１２７は負に帯電しており、黒色粒子１２６は正に帯電しているとする。
【００４８】
図３（Ｂ）は、電気泳動表示装置１０の表示部３の部分断面図である。素子基板１３０と対向基板１３１は、マイクロカプセル１２０を配列してなる電気泳動素子１３２を狭持している。表示部３（図１参照）は、素子基板１３０の電気泳動素子１３２側に、複数の画素電極３５が形成された駆動電極層３５０を含む。図３（Ｂ）では、画素電極３５として画素電極３５Ａと画素電極３５Ｂが示されている。画素電極３５により、表示部の画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００４９】
一方、対向基板１３１は透明基板であり、表示部３において対向基板１３１側に画像表示がなされる。表示部３は、対向基板１３１の電気泳動素子１３２側に、平面形状の共通電極３７が形成された共通電極層３７０を含む。したがって、共通電極３７と画素電極３５とは向かい合っている。なお、共通電極３７は透明電極である。共通電極３７は、画素電極３５と異なり全画素に共通の電極であり、電位Ｖｃｏｍが供給される。
【００５０】
共通電極層３７０と駆動電極層３５０との間に設けられた電気泳動表示層３６０に電気泳動素子１３２が配置されており、電気泳動表示層３６０が表示領域となる。共通電極３７と画素電極３５（例えば、３５Ａ、３５Ｂ）との間の電位差に応じて、画素毎に所望の表示色を表示させることができる。
【００５１】
図３（Ｂ）では、共通電極３７側の電位Ｖｃｏｍが画素４０Ａの画素電極３５Ａの電位Ｖａよりも高電位である。このとき、負に帯電した白色粒子１２７が共通電極３７側に引き寄せられ、正に帯電した黒色粒子１２６が画素電極３５Ａ側に引き寄せられるため、画素４０Ａは白色を表示していると視認される。
【００５２】
図３（Ｃ）では、共通電極３７側の電位Ｖｃｏｍが画素４０Ａの画素電極３５Ａの電位Ｖａよりも低電位である。このときは逆に、正に帯電した黒色粒子１２６が共通電極３７側に引き寄せられ、負に帯電した白色粒子１２７が画素電極３５Ａ側に引き寄せられるため、画素４０Ａは黒色を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに（表示の書き換えに応じて）電位が変化する。以下では、電位Ｖａ、Ｖｂ、Ｖｃｏｍを与える信号をパルス信号という。そして、特に共通電極３７へのパルス信号を駆動パルス信号という。
【００５３】
ここで、図３（Ｂ）の後に、図３（Ｃ）の状態に変化したとする。このとき、画素４０Ａは白色の後に黒色が表示されており、印加電界の方向が逆向きに変化している。画素４０Ａについては、印加電界が図３（Ｂ）と図３（Ｃ）とで対称的でありＤＣバランスがとられている。一方、画素４０Ｂは白色だけが表示されており、印加電界が対称的でなく、ＤＣバランスがとられていない。電気泳動表示装置の長期信頼性を確保するためには、この例の画素４０Ａのように、反転表示を行う必要がある。
【００５４】
１．４．駆動方式
まず、表示制御回路６０が表示部に画像を表示する制御を行うときの第１の駆動方式（第１の方式）について図４（Ａ）〜図４（Ｂ）を参照して説明する。ここで、表示制御回路６０は、応答速度を速めるために、表示部３の全体を描画するのではなく、書き換え対象である一部を描画するものとして説明する。
【００５５】
１．４．１．第１の方式
図４（Ａ）は第１の方式で画素を白色表示または黒色表示する場合の波形図である。図４（Ａ）のＶａ、Ｖｂ、Ｖｃｏｍは図３（Ｂ）〜図３（Ｃ）と同じであり、Ｖａ、Ｖｂ、Ｖｃｏｍはハイレベル（ＶＨ）、ローレベル（ＶＬ）、またはハイインピーダンス状態（Ｈｉ−Ｚ）をとり得る。
【００５６】
図４（Ａ）のＶｃｏｍは、共通電極３７への駆動パルス信号の例を示す。ここでのＶｃｏｍは、あるパルス幅Ｔ１（以下、単にＴ１とする）で第１の電位を共通電極３７に印加するパルスの後に、Ｔ１よりも短いパルス幅Ｔ２（以下、単にＴ２とする）で第１の電位とは異なる第２の電位を共通電極３７に印加するパルス（逆電位駆動パルス）が続き、それが繰り返される。つまり、共通電極３７には駆動パルス信号に基づく電圧が印加される。ただし、図４（Ａ）のように駆動停止の直前では例外的に第１の電位を共通電極３７に印加して終了する。パルス幅の短い逆電位駆動パルスにより、部分書き換えの際の駆動時間をより短縮することができる。ここで、白色表示をする場合には第１の電位はＶＨ（第２の電位はＶＬ）であり、黒色表示をする場合には第１の電位はＶＬ（第２の電位はＶＨ）である。また、例えば、Ｔ２はＴ１の１％〜１５％程の短い時間であってもよい。
【００５７】
この例では、画素４０Ａの画素電極３５Ａに印加される電位Ｖａを与えるパルス信号は駆動パルス信号の反転信号である。また、画素４０Ｂの画素電極３５Ｂに印加される電位Ｖｂを与えるパルス信号は駆動パルス信号と同じ信号（正転信号）である。つまり、画素電極３５Ａ、画素電極３５Ｂには駆動パルス信号の反転信号、駆動パルス信号に基づく電圧が印加される。画素４０Ａと画素４０Ｂは例えば図３（Ｂ）で示された２つの画素である。画素４０Ａは、図４（Ａ）の「白色表示」と示された期間に黒色から白色へと書き換えられ、「黒色表示」と示された期間に白色から黒色へと書き換えられる。一方、画素４０Ｂは、共通電極３７と画素電極３５Ｂとの間に電界を生じないため書き換えが行われずに黒色表示を続ける。
【００５８】
図４（Ｂ）は、図４（Ａ）の例による画素４０Ａ、画素４０Ｂの色（反射率）の変化を示す図である。縦軸が反射率、横軸が時間、Ｒ１が黒色の反射率、Ｒ２が白色の反射率を表す。まず、画素４０Ａについて説明する。画素４０Ａ（実線で表示）は最初に黒色（Ｒ１）で表示されているものとする。「白色表示」のＴ１に対応する区間では、画素電極３５Ａの電位はＶＬで共通電極３７の電位はＶＨであるため白色（Ｒ２）表示に近づく。しかし、「白色表示」のＴ２に対応する区間では、画素電極３５Ａの電位はＶＨで共通電極３７の電位はＶＬであるため黒色（Ｒ１）表示に近づく。しかし、Ｔ１＞Ｔ２であるため、画素４０Ａは「白色表示」の期間の最後には白色（Ｒ２）で表示される。そして、画素４０ＡはＶｃｏｍの極性が反転した「黒色表示」の期間の最後には同様にして黒色（Ｒ１）で表示される。
【００５９】
一方、画素４０Ｂ（太破線で表示）は、常にＶｃｏｍと同じ信号が画素電極３５Ｂに供給されているので電位差が生じることはなく当初からの黒色表示を続ける。このように第１の方式では、変化させたい画素のみを駆動することができ、画像の書き換えにおける応答速度を速めることができる。特に、パルス幅の短い逆電位駆動パルスを使用することで部分書き換えの際の駆動時間を短縮することができる。表示部の全画素を、第１の方式で描画することも可能である。
【００６０】
１．４．２．第１の方式での表示例
図５（Ａ）〜図５（Ｄ）は第１の方式で描画した場合の表示例を表す。図５（Ａ）〜図５（Ｄ）のそれぞれの左図は表示部３の表示画像を表し、右図は表示部３の表示を行うために駆動される画素を濃灰色（ダークグレー）で表した駆動画素１３を表す。駆動画素１３の下部には、後述する第２の方式と区別するための第１の方式の文字と、駆動画素１３の濃灰色（ダークグレー）で表された画素が黒色表示されるのか、白色表示されるのかの区別が示されている。
【００６１】
また、図５（Ａ）〜図５（Ｄ）の工程名は、後述するフローチャートの工程の記号（ａ）〜（ｄ）に対応するものである。工程（ａ）は第１の画像を第１色で表示し、工程（ｂ）は第１の画像の背景を第１色で表示し、工程（ｃ）は第２の画像の背景を第２色で表示し、工程（ｄ）は第２の画像を第２色で表示するものである。
【００６２】
図５（Ａ）は、工程（ａ）を実行したときの表示部３の表示画像と、そのための駆動画素１３を表す。工程（ａ）では、第１の方式によって、表示部３に時刻表示１０：０５（第１の画像に対応）を黒色（第１色に対応）で表示する。なお、工程（ａ）の実行前は、表示部３は全面が白色の状態であったとする。
【００６３】
図５（Ｂ）は、工程（ｂ）を実行したときの表示部３の表示画像と、そのための駆動画素１３を表す。工程（ｂ）では、第１の方式によって、表示部３に時刻表示１０：０５以外の部分（第１の画像の背景に対応）を黒色（第１色に対応）で表示する。このとき、表示部３は、全面が黒色の状態になる。
【００６４】
図５（Ｃ）は、工程（ｃ）を実行したときの表示部３の表示画像と、そのための駆動画素１３を表す。工程（ｃ）では、第１の方式で、表示部３に時刻表示１０：０６以外の部分（第２の画像の背景に対応）を白色（第２色に対応）で表示する。このとき、表示部３には、黒色で時刻表示１０：０６が表示されることになる。
【００６５】
図５（Ｄ）は、工程（ｄ）を実行したときの表示部３の表示画像と、そのための駆動画素１３を表す。工程（ｄ）では、第１の方式で、時刻表示１０：０６（第２の画像に対応）を白色（第２色に対応）で表示する。このとき、表示部３は、全面が白色の状態になる。
【００６６】
ここで、工程（ａ）と工程（ｂ）の駆動画素１３を合わせると表示部全体の画素を黒色へと変化させている（図５（Ａ）〜図５（Ｂ）のｐ１）。一方、工程（ｃ）と工程（ｄ）の駆動画素１３を合わせると表示部全体の画素を白色へと変化させている（図５（Ｃ）〜図５（Ｄ）のｑ１）。よって、これらの４つの工程で、表示部全体のＤＣバランスがとられている。
【００６７】
このように、表示する画像（第１の画像、第２の画像に対応）が面積階調を用いない単一色画像、文字、数字、記号等、すなわち非グラフィックの場合には、残像といった問題もなく、第１の方式を用いて描画することでＤＣバランスをとり、長期信頼性を確保できる。
【００６８】
１．４．３．第１の方式の課題
ここで、表示する画像（第１の画像、第２の画像に対応）は、写真、模様、イラスト等、すなわちグラフィックを含むこともあり得る。図６（Ａ）〜図６（Ｃ）は、表示する画像にグラフィックが含まれている場合に、第１の方式を用いると生じ得る残像の例を示す図である。なお、図５と同じ要素には同じ符号を付しており説明を省略する。
【００６９】
図６（Ａ）の工程（ａ）では、第１の方式によって、表示部３に文字表示ＷＥＤ（非グラフィック）がされるとともに、グラフィックである格子模様が領域Ｚに表示されている。つまり、文字表示ＷＥＤおよび格子模様の黒色表示部分が第１の画像に対応する。
【００７０】
図６（Ｂ）の工程（ｂ）では、第１の方式によって、表示部３に文字表示ＷＥＤおよび領域Ｚの格子模様の黒色表示部分以外（第１の画像の背景に対応）を黒色で表示する。しかし、理由は後述するが、領域Ｚは灰色がかった色となり、その他の黒い領域との間で反射率の不一致が生じている。
【００７１】
図６（Ｃ）の工程（ｃ）では、第１の方式によって、表示部３にグラフィックである市松模様の黒色部分以外（第２の画像の背景に対応）を白色で表示する。このとき、図６（Ｂ）での反射率の不一致の影響で、市松模様のうち領域Ｚに含まれる部分は、その他の部分と濃度が異なって見える。すなわち、図６（Ａ）で領域Ｚに表示されていた格子模様の残像が残っているように視認されてしまう。
【００７２】
このように、第１の方式によってグラフィックを含む画像を表示した場合（図６（Ａ））に、グラフィックを表示していた部分（領域Ｚ）に残像が生じる可能性がある。この残像は図６（Ｃ）のように別のグラフィックを表示した場合に濃度の差として明確に視認される可能性がある。つまり、特にグラフィックの表示品質を低下させる可能性がある。そのため、グラフィック表示をする場合には、第１の方式ではなく、このような残像の発生を抑制できる別の方式で描画することが必要である。
【００７３】
ここで、表示する画像が、第１の方式で残像を生じ得るグラフィックを含むかについて、表示制御回路６０は以下のような手法により判定が可能である。文字や数字等の非グラフィックでは、少なくとも２画素以上の連続した線や点で文字や数字等が構成されている。これに対し、写真、模様、イラスト等のグラフィックでは、濃淡を表現するために１画素の点が散在する面積階調が使用されることが多い。よって、表示制御回路６０は、表示する画像（第１の画像、第２の画像に対応）を１つの色（例えば黒色）で、その背景を他の色（例えば白色）で表示した場合に、隣り合う画素の一方が白色であり、他方が黒色である境界がいくつあるかによって、面積階調が使用されている可能性が高いか否か（残像が生じやすいか否か）を判定可能である。
【００７４】
このとき、表示制御回路６０は例えば処理能力によって、境界を数える対象の領域（本発明の所定領域に対応）や、グラフィックを含むか否かを判定する閾値となる境界の数（本発明の所定数に対応）の定め方を変更してもよい。まず、表示制御回路６０は記憶部１６０（例えばＶＲＡＭ等）に書き込まれたデータに基づいて境界の数を求めてもよいし、フラッシュメモリー等に保存されている表示する画像のパーツのデータを読み出したときに、パーツの合成処理を行って境界の数を求めてもよい。このとき、画像のパーツのデータに境界の情報が含まれていてもよいし、グラフィックであることを示すフラグが含まれていてもよい。画像を読み出すたびに隣り合う画素の色を比較して、境界の数を求めてもよい。画像の第１方向（例えば縦方向）と第２方向（例えば横方向）のうち、１方向において隣り合う画素だけを比較して境界の数を求めてもよいし、２方向について境界の数を求めてもよい。また、表示部３の全画素について境界を求めてもよいし、表示部３に１つまたは複数設けられた小さな領域（例えば１０画素×１０画素の領域）に含まれる画素についてだけ境界を求めてもよい。このとき、小さな領域は表示部３の全体に所定の間隔で配置されていてもよいし、例えば中央部に集中して配置されていてもよい。そして、閾値となる境界の数は、固定的な１００、５００等の数であってもよいし、境界を求めた領域に含まれる画素数に所定の比率を乗じた数等であってもよい。
【００７５】
１．４．４．第２の方式
ここで、第１の方式で残像が発生し得る理由について説明する。図７（Ａ）はグラフィックが表示される領域Ｚ（以下、グラフィック領域Ｚとする）と画素４０Ａ、４０Ｂ、４０Ｃとの関係を示す図である。図７（Ａ）には表示部３の一部が示されており、その中に画素４０Ａ、４０Ｂ、４０Ｃが存在する。ここで、画素４０Ａ、４０Ｂはグラフィック領域Ｚに含まれるが、画素４０Ｃはグラフィック領域Ｚの外の背景の領域に含まれるとする。
【００７６】
図７（Ａ）の表示をしている表示部３について、表示部３の全画素を黒色で表示する場合を考える。このとき、図７（Ｂ）のようにグラフィック領域Ｚの外にある画素４０Ｃは、周囲の画素も同じように白色表示から黒色表示へと変化する。そのため、画素４０Ｃでは画素電極３５Ｃから共通電極３７へ向かう電界が周囲の画素電極３５の影響によって弱められることはない。
【００７７】
一方、図７（Ｃ）のように、グラフィック領域Ｚで隣り合う画素４０Ａ、４０Ｂについては、画素４０Ａは白色表示から黒色表示へと変化するが、画素４０Ｂは黒色表示を維持する。
【００７８】
画素４０Ａでは画素電極３５Ａから共通電極３７へ向かう電界が生じるが、共通電極３７よりも画素電極３５Ａとの距離が近い画素４０Ｂの画素電極３５Ｂの電位も共通電極３７と同じＶＬになっている。そのため、画素電極３５Ａから画素電極３５Ｂへの電界が生じ、画素４０Ａの画素電極３５Ａから共通電極３７へ向かう電界が弱められる。このとき、画素４０Ａは画素４０Ｂだけでなく、他の隣り合う画素の画素電極３５への電界も生じることになる。そのため、グラフィック領域Ｚにある画素４０Ａでは、グラフィック領域Ｚの外にある画素４０Ｃに比べて電界が弱められる。そのため、電気泳動粒子の１３２の移動が画素４０Ｃと比較して不十分となり、図６（Ｂ）の反射率の不一致や、図６（Ｃ）の残像が生じる。
【００７９】
そこで、前記のように表示制御回路６０は境界の数を数えて、閾値となる境界の数以上であれば、表示する画像にグラフィックが含まれていると判定して、第１の方式と異なる第２の方式によって工程（ａ）〜（ｄ）を実行する。第２の方式では、図７（Ｄ）のように、表示を変化させない画素（図７（Ｄ）では画素４０Ｂ、本発明の書き換え対象でない画素に対応）をハイインピーダンス状態にする。すると、表示を変化させる画素（図７（Ｄ）では画素４０Ａ、本発明の書き換え対象の画素に対応）に生じる電界は、ほとんど弱められない。
【００８０】
ただし、表示を変化させない画素（図７（Ｄ）では画素４０Ｂ）の画素電極（図７（Ｄ）では画素電極３５Ｂ）は、ハイインピーダンス状態が長く続くと、表示を変化させる画素（図７（Ｄ）では画素４０Ａ）から電荷がわずかにせよ流入する。このとき、表示を変化させない画素にも共通電極３７との間で微小な電界が生じ（図７（Ｄ）の点線の矢印）、表示が中間色に近くなる可能性がある。
【００８１】
そこで、後述するようにハイインピーダンス状態の期間に画素電極３５をＶＬまたはＶＨとするリフレッシュ動作を挿入したり、ハイインピーダンス状態となる時間をなるべく短くしたりすることで、表示を変化させない画素が中間色へと変化してしまう現象を目立たなくすることが好ましい。
【００８２】
しかし、このような対策をしても、人間の目には表示色の変化（例えば、中間色がリフレッシュ動作によって白色または黒色に戻る変化）が視認されることがある。このことを考慮すると、残像が生じると表示の品質を著しく損なうグラフィック表示では、表示色の変化が見えるとしても第２の方式によって工程（ａ）〜（ｄ）を実行する方が有利であるが、残像が生じにくい非グラフィック表示では、表示色の変化による違和感を与えにくい第１の方式によって描画することが好ましい。
【００８３】
図８（Ａ）は第２の方式で画素を白色表示または黒色表示する場合の波形図である。なお、図４（Ａ）と同じ要素には同じ符号を付しており説明を省略する。
【００８４】
この例では、画素４０Ａの画素電極３５Ａに印加される電位Ｖａを与えるパルス信号は、白色表示をする場合（書き換えを行う前の色は黒色）にはＶＬであり、黒色表示をする場合（書き換えを行う前の色は白色）にはＶＨである。また、画素４０Ｂの画素電極３５Ｂはハイインピーダンス状態を基本として、駆動パルス信号の短いパルスの区間（Ｔ２）に対応して黒色をリフレッシュ（または維持）するＶＨをとる。
【００８５】
図８（Ｂ）は、図８（Ａ）の例による画素４０Ａ、画素４０Ｂの色（反射率）の変化を示す図である。縦軸が反射率、横軸が時間、Ｒ１が黒色の反射率、Ｒ２が白色の反射率を表す。この例でも、最初に黒色（Ｒ１）で表示されていた画素４０Ａ（実線で表示）が「白色表示」のＴ１に対応する区間で白色（Ｒ２）表示に近づく。そして、画素４０ＡはＶｃｏｍの極性が反転した「黒色表示」の期間の最後には黒色（Ｒ１）で表示される。ここで、図４（Ｂ）と異なり、逆電位駆動パルスを用いていないため、Ｔ２に対応する区間では画素４０Ａの反射率は維持される。
【００８６】
一方、画素４０Ｂは、「白色表示」および「黒色表示」のＴ１に対応する区間で、画素電極３５Ｂがハイインピーダンス状態であるときには反射率にほとんど変化がない。そして、画素４０Ｂは、「白色表示」のＴ２に対応する区間では、黒色表示を強めるリフレッシュ動作を行い、「黒色表示」のＴ２に対応する区間では、黒色表示を維持する。よって、画素４０Ｂは、ほとんど変化なく黒色表示のままである。
【００８７】
しかし、前記のようにハイインピーダンス状態である時間が長いと、画素４０Ａの画素電極３５Ａから電荷がわずかにせよ流入する。図８（Ｃ）は図８（Ｂ）の一部の領域Ｒを拡大したものである。このとき、「白色表示」のＴ１に対応する区間で、電荷の流入によって反射率がわずかに上昇し画素４０Ｂが中間色（やや白っぽい黒色）を表示していることがわかる。そこで、「白色表示」のＴ２に対応する区間では、画素４０Ｂの画素電極３５ＢにＶＨを与えて画素４０Ｂを黒色表示（反射率がＲ１）に戻している。
【００８８】
リフレッシュ動作を行わない場合には、表示色がより白色に近くなる。そのため、リフレッシュ動作は行うこと好ましいが、中間色から黒色への変化はユーザーに視認され得る。したがって、残像の問題が生じない非グラフィックの表示では、第２の方式ではなく第１の方式を用いることが好ましい。しかし、グラフィックを含む表示では、第２の方式を用いて残像を生じないようにすることが好ましい。
【００８９】
図９（Ａ）〜図９（Ｄ）は第２の方式で描画した場合の表示例を表す。図５（Ａ）〜図６（Ｃ）と同じ要素には同じ符号を付しており説明を省略する。また、表示する画像（第１の画像および第２の画像）はグラフィックを含む。
【００９０】
図９（Ａ）の工程（ａ）では、第２の方式によって、表示部３に文字表示ＷＥＤ（非グラフィック）がされるとともに、グラフィックである格子模様が領域Ｚに表示されている。
【００９１】
図９（Ｂ）の工程（ｂ）では、第２の方式によって、表示部３に文字表示ＷＥＤおよび領域Ｚの格子模様の黒色表示部分以外（第１の画像の背景に対応）を黒色で表示する。このとき、第１の方式を用いた場合に生じていた、領域Ｚとその他の領域との間の反射率の不一致（図６（Ｂ）参照）は抑制されている。
【００９２】
図９（Ｃ）の工程（ｃ）では、第２の方式によって、表示部３にグラフィックである市松模様の黒色部分以外（第２の画像の背景に対応）を白色で表示する。このとき、図９（Ｂ）での反射率の不一致はないため、市松模様の領域Ｚに含まれる部分にも残像は見られない。
【００９３】
図９（Ｄ）の工程（ｄ）では、第２の方式によって、表示部３にグラフィックである市松模様（第２の画像に対応）を白色で表示する。このとき、表示部３の全体が白色で表示されており、第１の方式を用いた場合のような残像の問題は生じていない。
【００９４】
ここで、工程（ａ）と工程（ｂ）の駆動画素１３を合わせると表示部全体の画素を黒色へと変化させている。一方、工程（ｃ）と工程（ｄ）の駆動画素１３を合わせると表示部全体の画素を白色へと変化させている。よって、これらの４つの工程で、ＤＣバランスがとられている。
【００９５】
このように、表示する画像（第１の画像、第２の画像に対応）が面積階調を用いる写真、模様、イラスト等、すなわちグラフィックの場合には、第２の方式を用いることで残像の問題を解決することができる。また、第２の方式を用いる場合も、工程（ａ）〜工程（ｄ）によってＤＣバランスをとり、長期信頼性を確保できる。
【００９６】
図１０（Ａ）、図１０（Ｂ）はそれぞれ第１の方式、第２の方式での波形図の例を示す。図１０（Ａ）、図１０（Ｂ）における、Ｖｃｏｍ、Ｖａ、Ｖｂ、ＶＨ、ＶＬ、および工程（ａ）〜（ｄ）は、図１〜図９（Ｄ）の同じ符号の要素と同じであり説明を省略する。
【００９７】
図１０（Ａ）、図１０（Ｂ）の例では、第１の画像を表示する工程（ａ）において画素４０Ａ、４０Ｂはそれぞれ黒色、白色である。また、第２の画像を表示する工程（ｃ）において画素４０Ａ、４０Ｂはそれぞれ白色、黒色である。図１０（Ａ）、図１０（Ｂ）からわかるように、第１の方式の場合にも、第２の方式の場合にも、Ｖａ、Ｖｂともに工程（ａ）〜（ｄ）を合わせると印加される電界がゼロになる。すなわちＤＣバランスがとられていることがわかる。
【００９８】
ここで、図１０（Ｂ）において、Ｖｃｏｍの短いパルス（Ｔ２）に対応して、Ｖａ、ＶｂにもＶＨ、またはＶＬが複数回印加されているが、これらをまとめて１つにしてもよい。例えば、図１０（Ｂ）の工程（ａ）のＶｂにおいては、最初のＶＬから最後のＶＬまでの間のハイインピーダンス状態をなくし、ＶＬが続くようにしてもよい。このとき、１つの工程における画素電極３５への信号の波形はハイインピーダンス状態に挟まれるように１つのＶＨまたはＶＬを有する。このとき、ハイインピーダンス状態の時間をできるだけ少なくして、中間色への変化（図８（Ｃ）参照）を抑制する効果が期待できる。
【００９９】
１．４．５．第１の方式と第２の方式の選択
図１１（Ａ）は、第１の画像と第２の画像の組み合わせに基づく、第１の方式と第２の方式の選択を示すテーブルである。第１の画像と第２の画像は、グラフィックを含むか、グラフィックを含まない非グラフィックかのいずれかであるから、組み合わせとしては図１１（Ａ）のように、パターン（ＰＡ）からパターン（ＰＤ）までの４つがある。
【０１００】
図１１（Ａ）のように、原則として、第１の画像がグラフィックであれば第２の方式によって、第１の画像が非グラフィックであれば第１の方式によって、工程（ａ）〜（ｄ）を実行することで、残像の発生の問題が生じにくくなる。
【０１０１】
しかし、パターン（ＰＢ）およびパターン（ＰＣ）において、第２の画像に最適な駆動の方式が選択されていないとの問題が生じる。
【０１０２】
そこで、図１１（Ｂ）のように、本実施形態の電気泳動表示装置の駆動方法では、パターン（ＰＢ）およびパターン（ＰＣ）において、第２の画像を単一色画像に置き換えて、工程（ａ）〜（ｄ）を実行する。そして、第２の画像は、次回の工程（ａ）〜（ｄ）の第１の画像となるように設定されて、次回の工程（ａ）〜（ｄ）では最適な駆動の方式が選択される。
【０１０３】
ここで、単一色画像とは、表示部３の全画素が黒色または白色である画像である。また、単一色画像ではなく、第２の画像に代えて直前の工程（ａ）、工程（ｂ）で使用した第１の画像を用いて工程（ｃ）および工程（ｄ）を実行してもよい。なお、図１１（Ｂ）において、パターン（ＰＢ）またはパターン（ＰＣ）の一方だけで第２の画像を単一色画像に置き換えてもよい。
【０１０４】
１．５．フローチャート
本実施形態の電気泳動表示装置の表示制御回路６０が行う制御処理をまとめると図１２のフローチャートのようになる。
【０１０５】
まず、表示制御回路６０は、第１の画像を表示する場合に黒色と白色との境界が所定数以上であるか否かを判定する（Ｓ１０）。境界が所定数以上であれば（Ｓ１０Ｙ）、第１の画像を黒色で表示部３に表示させる工程（ａ）、第１の画像の背景を黒色で表示部３に表示させる工程（ｂ）、第２の画像の背景を白色で表示部３に表示させる工程（ｃ）、第２の画像を白色で表示部３に表示させる工程（ｄ）を、第２の方式で実行するように設定する（Ｓ３０）。しかし、所定数未満であれば（Ｓ１０Ｎ）、工程（ａ）〜（ｄ）を第１の方式で実行するように設定する（Ｓ２０）。
【０１０６】
そして、表示制御回路６０は、第１の画像を表示する場合に黒色と白色との境界が所定数以上であるか否かを判定する（Ｓ１００）。Ｓ１０の判定結果とＳ１００の判定結果とを比較し、判定結果が第１の画像（Ｓ１０）と第２の画像（Ｓ１００）とで異なっていれば（Ｓ１１０Ｙ）、第２の画像が、次の第１の画像となるように設定する（Ｓ１２０）。ここで、次の第１の画像とは、今回の一連の処理（Ｓ１０〜Ｓ２４０）が終了して、別途一連の処理が実行される場合における第１の画像を意味する。
【０１０７】
そして、表示制御回路６０は、第２の画像を単一色画像に置き換える（Ｓ１３０）。つまり、ステップＳ２３０、Ｓ２４０において第２の画像として単一色画像が用いられるようにする。
【０１０８】
ステップＳ１３０の後に、または、境界が所定数以上かの判定結果が、第１の画像と第２の画像とで同じであれば（Ｓ１１０Ｎ）、第１の画像を黒色で表示部３に表示させる工程（ａ）、第１の画像の背景を黒色で表示部３に表示させる工程（ｂ）、第２の画像の背景を白色で表示部３に表示させる工程（ｃ）、第２の画像を白色で表示部３に表示させる工程（ｄ）が順に実行される（Ｓ２１０、Ｓ２２０、Ｓ２３０、Ｓ２４０）。
【０１０９】
以上のような処理により、ＤＣバランスをとりつつ、残像が生じることを抑制する部分駆動方式での電気泳動表示装置の駆動方法を実現できる。
【０１１０】
２．応用例
本発明の応用例について図１３〜図１４（Ｂ）を参照して説明する。なお、図１〜図１２と同じ要素については同一符号を付して説明を省略する。前記の電気泳動表示装置は、例えば時刻表示を行う電子時計などの電子機器に応用できる。
【０１１１】
２．１．電子機器のブロック図
図１３は応用例に係る電子機器１のブロック図である。電子機器１は、ＣＰＵ(Central Processing Unit)２、入力部４、記憶部５、電気泳動表示装置１０を含む。電気泳動表示装置１０は、前記の電気泳動表示装置であって、様々な画像を表示する表示部３を含む。
【０１１２】
ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。
【０１１３】
入力部４は、例えば電子機器１のユーザーからの指示を受け取り、指示に応じた信号を他のブロックに出力してもよい。
【０１１４】
記憶部５は、例えばＤＲＡＭやＳＲＡＭなどのメモリーであってもよいし、ＲＯＭ(Read Only Memory)を含んでいてもよい。ＣＰＵ２が使用するプログラムは、例えば記憶部５が含むＲＯＭに書かれていてもよい。
【０１１５】
表示部３は、電気泳動表示装置１０の一部であって、例えば時刻を表示したり、文字、写真などを表示したりしてもよい。
【０１１６】
電子機器１は、前記の電気泳動表示装置１０を含むことで、ＤＣバランスをとりつつ、残像が生じることを抑制することが可能になる。そのため、長期的信頼性に優れ、表示品質がよく、表現力に優れた電子機器１を実現できる。
【０１１７】
２．２．電子機器の具体例
図１４（Ａ）〜図１４（Ｂ）に、電子機器の具体例を示す。図１４（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面(表示面側)には、電気泳動表示装置１０の表示部３（図１３参照）である表示部１００４が設けられ、時刻表示１００５を行っている。時計ケース１００２の側面には、２つの操作ボタン１０１１と１０１２とが設けられ、入力部４（図１３参照）として機能する。
【０１１８】
また、図１４（Ｂ）は電子機器の１つである電子ペーパー１１００の斜視図である。電子ペーパー１１００は可撓性を有し、電気泳動表示装置１０の表示部３（図１３参照）である表示領域１１０１と、本体１１０２とを備えている。
【０１１９】
前記の電気泳動表示装置は、これらの具体例を含む、様々な電子機器に適用できる。そして、そのような電子機器は、ＤＣバランスが取れていることで表示部の長期信頼性を確保できる。また、グラフィックを表示しても残像が生じることを抑制でき、表示品質がよく、表現力に優れている。
【０１２０】
３．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１２１】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１２２】
さらに、前記の応用例の電子時計は、腕時計に限らず、置き時計、掛け時計、懐中時計などの時計機能を有する機器に広く適用できる。
【０１２３】
これらの例示に限らず、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１２４】
１  電子機器、２  ＣＰＵ、３  表示部、４  入力部、５  記憶部、１０  電気泳動表示装置、１３  駆動画素、３５  画素電極、３５Ａ  画素電極、３５Ｂ  画素電極、３５Ｃ  画素電極、３７  共通電極、４０  画素、４０Ａ  画素、４０Ｂ  画素、４０Ｃ  画素、４８  駆動用ＴＦＴ、４９  低電位電源線（Ｖｓｓ）、５０  高電位電源線（Ｖｄｄ）、５５  共通電極配線（Ｖｃｏｍ）、６０  表示制御回路、６１  走査線駆動回路、６２  データ線駆動回路、６３  コントローラー、６４  共通電源変調回路、６６  走査線、６８  データ線、７０  ラッチ回路、７０ｆ  帰還インバーター、７０ｔ  転送インバーター、８０  スイッチ回路、９１  第１のパルス信号線（Ｓ１）、９２  第２のパルス信号線（Ｓ２）、１２０  マイクロカプセル、１２６  黒色粒子、１２７  白色粒子、１３０  素子基板、１３１  対向基板、１３２  電気泳動素子、１６０  記憶部、３５０  駆動電極層、３６０  電気泳動表示層、３７０  共通電極層、１０００  電子時計、１００２  時計ケース、１００３  バンド、１００４  表示部、１００５  時刻表示、１０１１  操作ボタン、１１００  電子ペーパー、１１０１  表示領域、１１０２  本体
【図１】
2014191152.tif 000003
【図２】
2014191152.tif 000004
【図３】
2014191152.tif 000005
【図４】
2014191152.tif 000006
【図８】
2014191152.tif 000007
【図１０】
2014191152.tif 000008
【図１１】
2014191152.tif 000009
【図１２】
2014191152.tif 000010
【図１３】
2014191152.tif 000011
【図１４】
2014191152.tif 000012
【図５】
2014191152.tif 000013
【図６】
2014191152.tif 000014
【図７】
2014191152.tif 000015
【図９】
2014191152.tif 000016